(57)【特許請求の範囲】
【請求項１】
第１副画素および第２副画素からなる画素を備えており、入力された表示信号の輝度階調に基づいた輝度の画像を表示する表示部と、
第１副画素と第２副画素とを異なる輝度にするとともに、１フレームに表示部から出力される輝度の総和をフレームの分割によって変えないように、第１および第２サブフレームの表示信号である第１および第２表示信号を生成し、表示部に出力する制御部とを備えており、
前記表示部は、以下の（ａ）〜（ｄ）の方法により得られた積分値が０．０２０２以下のものであることを特徴とする表示装置。
（ａ）表示部の表面輝度および正面から６０°の角度の斜め輝度を測定し、
（ｂ）正面輝度および斜め輝度を規格化し、正面規格化明度ｘおよび斜め規格化明度を求め、
（ｃ）ｘ＾（ｎ／２．２）の正面規格化明度ｘに対する差分の積分値が、斜め規格化明度の正面規格化明度ｘに対する差分の積分値と同じになるように、ｘ＾（ｎ／２．２）のｎを決定し、
（ｄ）ｘ＾（ｎ／２．２）と斜め規格化明度との差分の絶対値を、正面規格化明度ｘの最小輝度から最大輝度まで積分して積分値を得る。
【請求項２】
前記表示部が液晶パネルであることを特徴とする請求項１に記載の表示装置。
【請求項３】
上記（ａ）〜（ｄ）の方法により得られた積分値が０．０１５以下であることを特徴とする請求項１または２に記載の表示装置。
【請求項４】
上記（ｃ）のステップで求められたｎの値が１．７５以上であることを特徴とする請求項１または２に記載の表示装置。
【請求項５】
上記（ａ）〜（ｄ）の方法により得られた積分値が０．０１５以下であり、
上記（ｃ）のステップで求められたｎの値が１．７５以上であることを特徴とする請求項１または２に記載の表示装置。
【請求項６】
前記表示部は、第１副画素と第２副画素の面積比率を調整することにより、前記積分値が調整されたものであることを特徴とする請求項１または２に記載の表示装置。
【請求項７】
前記表示部は、第１副画素および第２副画素への信号の分配を調整することにより、前記積分値が調整されたものであることを特徴とする請求項１または２に記載の表示装置。
【請求項８】
前記制御部は、分割されたサブフレームの比率を調整することにより、前記積分値を調整することを特徴とする請求項１または２に記載の表示装置。
【請求項９】
第１副画素および第２副画素からなる画素を備えており、入力された表示信号の輝度階調に基づいた輝度の画像を表示する表示部と、
第１副画素と第２副画素とを異なる輝度にするとともに、１フレームに表示部から出力される輝度の総和をフレームの分割によって変えないように、第１および第２サブフレームの表示信号である第１および第２表示信号を生成し、表示部に出力する制御部とを備えている表示装置の調整方法であって、
表示部の表面輝度および正面から６０°の角度の斜め輝度を測定し、
正面輝度および斜め輝度を規格化し、正面規格化明度ｘおよび斜め規格化明度を求め、
ｘ＾（ｎ／２．２）の正面規格化明度ｘに対する差分の積分値が、斜め規格化明度の正面規格化明度ｘに対する差分の積分値と同じになるように、ｘ＾（ｎ／２．２）のｎを決定し、
ｘ＾（ｎ／２．２）と斜め規格化明度との差分の絶対値を、正面規格化明度ｘの最小輝度から最大輝度の範囲で積分して得られる積分値が０．０２０２以下となるように調整することを特徴とする表示装置の調整方法。
【請求項１０】
ｘ＾（ｎ／２．２）と斜め規格化明度との差分の絶対値を、正面規格化明度ｘの最小輝度から最大輝度の範囲で積分して得られる上記積分値が０．０１５以下、かつ、上記ｎの値が１．７５以上となるように調整することを特徴とする請求項９に記載の表示装置の調整方法。
【請求項１１】
第１副画素と第２副画素の面積比率を調整することにより、前記積分値を調整することを特徴とする請求項９記載の調整方法。
【請求項１２】
第１副画素および第２副画素への信号の分配を調整することにより、前記積分値を調整することを特徴とする請求項９記載の調整方法。
【請求項１３】
前記制御部は、分割されたサブフレームの比率を調整することにより、前記積分値を調整することを特徴とする請求項９記載の調整方法。
【請求項１４】
制御部の第１表示信号と第２表示信号の輝度階調を調整することを特徴とする請求項９ないし１３の何れかに記載の調整方法。
【請求項１５】
請求項１ないし８の何れかに記載の表示装置と、
外部から入力された画像信号を上記表示装置に伝達するための信号入力部とを備えていることを特徴とする画像表示モニター。
【請求項１６】
請求項１ないし８の何れかに記載の表示装置と、
テレビ放送信号のチャネルを選択し、選択されたチャネルのテレビ画像信号を上記画像表示装置に伝達するためのチューナ部とを備えていることを特徴とするテレビジョン受像機。
【発明の詳細な説明】
【技術分野】
【０００１】  本発明は、表示部の画素が複数に分割されている表示装置に関するものである。
【背景技術】
【０００２】  近年、ＣＲＴ（陰極線管）が用いられていた分野で、液晶表示装置、特に垂直配向（ＶＡ：Ｖｅｒｔｉｃａｌｌｙ  Ａｌｉｇｎｅｄ）モード型の液晶表示パネル（ＶＡモードの液晶パネル；ＶＡパネル）を有するカラー液晶表示装置が多く用いられるようになってきている。【０００３】  面積分割画素駆動によれば、サブピクセルの面積比やサブピクセル間の輝度比を調整することにより、側面視認性を向上させることができる。このような駆動方法を採用した従来の液晶表示装置としては、例えば、方位制御電極と第１画素電極との間で形成される静電容量より方位制御電極と第２画素電極との間で形成される静電容量の大きさが所定量大きくなるように、これらの重畳面積を調整する液晶表示装置が挙げられる（特許文献１参照）。上記特許文献１に記載の液晶表示装置によれば、正面からパネルを望む場合（視野角度０度）に対し、中間調の輝度が明るくなる白浮き現象をある程度解消することができる。
【特許文献１】特開２００４−２１３０１１号公報（公開日：２００４年７月２９日）
【発明の開示】
【０００４】  しかしながら、上記特許文献１に記載されている液晶表示装置では、視野角特性の変曲が大きくなるから、異なる輝度により表示される色の輝度比が正面と斜めとで異なり、色ずれ現象が生じてしまう。すなわち、従来の面積分割画素駆動方式による液晶表示装置では、図２９のグラフに示すように、実線で示した予定輝度と破線で示した実際輝度との間の差が、輝度によって異なっている（例えば、正面輝度０．２０と０．５０との比較によれば、明らかである）。このように、上記従来の液晶表示装置によれば、白浮き現象をある程度改善することが可能であるものの、視野角特性の変曲による色ずれ現象が発生するという問題があり、この点から側面視認性の更なる改善が望まれている。
【０００５】  本発明は、上記の問題点に鑑みてなされたものであり、その目的は、色ずれ現象の抑制された表示装置を提供することにある。
【０００６】  本発明の表示装置は、上記の課題を解決するために、第１副画素および第２副画素からなる画素を備えており、入力された表示信号の輝度階調に基づいた輝度の画像を表示する表示部と、第１副画素と第２副画素とを異なる輝度にするとともに、１フレームに表示部から出力される輝度の総和をフレームの分割によって変えないように、第１および第２サブフレームの表示信号である第１および第２表示信号を生成し、表示部に出力する制御部とを備えており、前記表示部は、以下の（ａ）〜（ｄ）の方法により得られた積分値が０．０２０２以下のものであることを特徴としている。
（ａ）表示部の表面輝度および正面から６０°の角度の斜め輝度を測定し、
（ｂ）正面輝度および斜め輝度を規格化し、正面規格化明度ｘおよび斜め規格化明度を求め、
（ｃ）ｘ＾（ｎ／２．２）の正面規格化明度ｘに対する差分の積分値が、斜め規格化明度の正面規格化明度ｘに対する差分の積分値と同じになるように、ｘ＾（ｎ／２．２）のｎを決定し、
（ｄ）ｘ＾（ｎ／２．２）と斜め規格化明度との差分の絶対値を、正面規格化明度ｘの最小輝度から最大輝度まで積分して積分値を得る。
【０００７】  上記積分値は、斜め規格化明度を正面規格化明度ｘに対してプロットして得られる視野角特性の変曲の程度を反映しており、この積分値を０．０２０２以下とすることにより、表示部の色ずれ現象を抑制することができる。
【０００８】  さらには、上記の積分値を０．０１５以下にすることで、色ずれ現象を許容限に抑制することができる。また、（ｃ）のステップで求められたｎの値を１．７５以上にすることで、白浮き現象を許容限に抑制することができる。
【０００９】  本発明の表示装置は、液晶パネルなどの表示画面を備えた表示部を用いて画像を表示するものである。
【００１０】  そして、本表示装置は、制御部が、サブフレーム表示によって表示部を駆動するようになっている。ここで、サブフレーム表示とは、１つのフレームを複数（本表示装置ではｍ個）のサブフレーム（第１〜第ｍサブフレーム）に分けて行う表示方法である。
【００１１】  すなわち、制御部は、１フレーム期間に、表示部に対して、表示信号をｍ回出力する（第１〜第ｍサブフレームの表示信号である第１〜第ｍ表示信号を順に出力する）。これにより、制御部は、各サブフレーム期間で、表示部の表示画面の全ゲートラインを１回づつＯＮとする（１フレームにｍ回ＯＮとする）こととなる。
【００１２】  また、制御部は、表示信号の出力周波数（クロック）を、通常ホールド表示時のｍ倍（ｍ倍クロック）とするようになっていることが好ましい。
【００１３】  なお、通常ホールド表示とは、フレームをサブフレームに分割せずに行う通常の表示（１フレーム期間で、表示画面の全ゲートラインを１回だけＯＮとする表示）のことである。
【００１４】  また、表示部（表示画面）は、制御部から入力された表示信号の輝度階調に基づいた輝度の画像を表示するように設計されている。さらに、制御部は、フレームを分割することによって、１フレームに画面から出力される輝度の総和（全輝度）を変えないように、第１〜第ｍ表示信号を生成する（これらの表示信号の輝度階調を設定する）ようになっている。
【００１５】  また、通常、表示部の表示画面は、輝度階調を「最小または第１所定値より小さい値」あるいは「最大または第２所定値より大きい値」とする場合に、大きな視野角度での実際明度と予定明度とのズレ（明度ズレ）が十分に小さくなる。
【００１６】  ここで、輝度階調を最小あるいは最大とする場合に、明度ズレを最も小さくできることは当然である。しかしながら、実質的には、輝度階調を最小・最大に近づけるだけでも（例えば最大の０．０２％以下、あるいは８０％以上としても）、同等の効果を得られることがわかっている。
【００１７】  ここで、明度とは、表示される画像の輝度に応じた、人間の感じる明るさの度合いである（後述する実施形態における（５）（６）式参照）。なお、１フレームで出力される輝度の総和が不変の場合、同じく１フレームで出力される明度の総和も変わらない。
【００１８】  また、予定明度とは、表示画面で表示されるはずの明度（表示信号の輝度階調に応じた値）のことである。
【００１９】  また、実際明度とは、画面で実際に表示された明度のことであり、視野角度に応じて変化する値である。画面の正面では、これら実際明度と予定明度とは等しくなり、明度ズレはない。一方、視野角を大きくする２つれて、明度ズレも大きくなる。
【００２０】  そして、本表示装置では、画像を表示する際、制御部が、第１〜第ｍ表示信号の少なくとも１つの輝度階調を「最小または第１所定値より小さい値」あるいは「最大または第２所定値より大きい値」とする一方、他の表示信号の輝度階調を調整することで階調表現を行う。
【００２１】  従って、少なくとも１つのサブフレームでの明度ズレを十分に小さくできる。これにより、本表示装置では、通常ホールド表示を行う場合に比して、明度ズレを小さく抑えられるので、視野角特性を向上させることが可能となる。
【００２２】  また、通常、表示部の表示画面は、画像の明度（および輝度）が最小あるいは最大の場合に、大きな視野角度での実際明度と予定明度とのズレを最小（０）にできる。従って、制御部は、第１〜第ｍ表示信号の少なくとも１つの輝度階調を最小あるいは最大とする一方、他の表示信号の輝度階調を調整することで階調表現を行うことが好ましい。これにより、少なくとも１つのサブフレームでの明度ズレを最小にできるため、視野角特性をさらに向上させられる。
【００２３】  本発明の表示装置の調整方法は、第１副画素および第２副画素からなる画素を備えており、入力された表示信号の輝度階調に基づいた輝度の画像を表示する表示部と、第１副画素と第２副画素とを異なる輝度にするとともに、１フレームに表示部から出力される輝度の総和をフレームの分割によって変えないように、第１および第２サブフレームの表示信号である第１および第２表示信号を生成し、表示部に出力する制御部とを備えている表示装置の調整方法であって、表示部の表面輝度および正面から６０°の角度の斜め輝度を測定し、正面輝度および斜め輝度を規格化し、正面規格化明度ｘおよび斜め規格化明度を求め、ｘ＾（ｎ／２．２）の正面規格化明度ｘに対する差分の積分値が、斜め規格化明度の正面規格化明度ｘに対する差分の積分値と同じになるように、ｘ＾（ｎ／２．２）のｎを決定し、ｘ＾（ｎ／２．２）と斜め規格化明度との差分の絶対値を、正面規格化明度ｘの最小輝度から最大輝度の範囲で積分して得られる積分値が０．０２０２以下となるように調整することを特徴としている。これにより、表示装置の色ずれ現象を抑制することができる。
【００２４】  上記本発明の表示装置およびその調整方法において、前記積分値を０．０２０２以下とするための調整は、第１副画素と第２副画素の面積比率や、第１副画素および第２副画素への信号の分配を調整すること、前記制御部により分割されたサブフレームの比率を調整すること等によって行うことができる。
【００２５】  また、上記表示装置と、外部から入力された画像信号を該画像表示装置に伝達するための信号入力部とを組み合わせることで、パーソナルコンピューターなどに使用される液晶モニターを構成することが可能である。
【００２６】  また、上記表示装置と、チューナ部とを組み合わせることで、液晶テレビジョン受像機を構成することも可能である。
【００２７】  また、本発明の表示装置は、前記制御部が、低明度の画像を表示する場合に、第１表示信号の輝度階調を調整する一方、第２表示信号の輝度階調を最小または第１所定値より小さい値とし、高明度の画像を表示する場合に、第１表示信号の輝度階調を最大または第２所定値より大きい値とする一方、第２表示信号の輝度階調を調整するものであってもよい。
【００２８】  上記構成を備えた表示装置の制御部は、低明度の画像と高明度の画像とに応じて、異なった方法により第１表示信号の輝度と第２表示信号を調整するから、正面から見た場合と斜めから見た場合との画素の輝度の差を抑制することができる。これにより、色ずれの小さい表示部を備えた表示装置とすることができる。
【００２９】  本発明にかかる表示装置は、以上のように、上述した（ａ）〜（ｄ）の方法により得られた積分値が０．０２０２以下である表示部を備えているので、表示部を正面から見た場合と斜めから見た場合との輝度の違いを抑えて、色ずれ現象を抑制することができる。
【００３０】  本発明のさらに他の目的、特徴、および優れた点は、以下に示す記載によって十分わかるであろう。また、本発明の利益は、添付図面を参照した次の説明で明白になるであろう。
【図面の簡単な説明】
【００３１】
【図１】本発明の一実施形態にかかる表示装置の構成を示すブロック図である。
【図２】通常ホールド表示の場合に液晶パネルから出力される表示輝度（予定輝度と実際輝度との関係）を示すグラフである。
【図３】図１に示した表示装置においてサブフレーム表示を行う場合に液晶パネルから出力される表示輝度（予定輝度と実際輝度との関係）を示すグラフである。
【図４】（ａ）は、図１に示した表示装置のフレームメモリに入力される画像信号を示す説明図であり、（ｂ）は、３：１に分割する場合における、フレームメモリから前段ＬＵＴに出力される画像信号を示す説明図であり、（ｃ）は、同じく後段ＬＵＴに出力される画像信号を示す説明図である。
【図５】図１に示した表示装置においてフレームを３：１に分割する場合における、前段表示信号と後段表示信号とに関するゲートラインのＯＮタイミングを示す説明図である。
【図６】図３に示した輝度のグラフを明度に変換したものを示すグラフである。
【図７】図１に示した表示装置においてフレームを３：１に分割した場合における、予定明度と実際明度との関係を示すグラフである。
【図８】画素分割で駆動される液晶パネルの構成を示す説明図である。
【図９（ａ）】ソースラインＳに正（≧Ｖｃｏｍ）の表示信号が印加された場合における、副画素の液晶容量に印加される電圧（液晶電圧）を示すグラフである。
【図９（ｂ）】ソースラインＳに負（≦Ｖｃｏｍ）の表示信号が印加された場合における、副画素の液晶容量に印加される電圧（液晶電圧）を示すグラフである。
【図９（ｃ）】ソースラインＳに正（≧Ｖｃｏｍ）の表示信号が印加された場合における、副画素の液晶容量に印加される電圧（液晶電圧）を示すグラフである。
【図９（ｄ）】ソースラインＳに負（≦Ｖｃｏｍ）の表示信号が印加された場合における、副画素の液晶容量に印加される電圧（液晶電圧）を示すグラフである。
【図１０】画素分割駆動を行わない場合における、２つの視野角（０°（正面）および６０°）での、液晶パネル２１の透過率と印加電圧との関係を示すグラフである。
【図１１】画素分割で駆動される液晶パネルの別の構成を示す説明図である。
【図１２】面積分割画素駆動方式の画素を備えた表示装置にフレーム分割画素駆動を用いた表示装置の視野角特性を示すグラフである。
【図１３】表示装置の表示部の視野角特性を示すグラフである。
【図１４（ａ）】視野角特性を測定する際の表示部と輝度測定器との位置関係を示す概略図であり、表示部の上面方向から見た位置関係を示している。
【図１４（ｂ）】視野角特性を測定する際の表示部と輝度測定器との位置関係を示す概略図であり、表示部の正面方向から見た位置関係を示している。
【図１４（ｃ）】視野角特性を測定する際の表示部と輝度測定器との位置関係を示す概略図であり、表示部の横方向から見た位置関係を示している。
【図１５】フレーム分割画素駆動のＬＵＴの調整について説明するグラフである。
【図１６】図１５中に破線で示したように、フレーム分割画素駆動のＬＵＴ調整による視野角特性の変化を示すグラフである。
【図１７】本発明の比較例１である、各画素の面積分割比を１：１とした液晶パネルの視野角特性の１例を示すグラフである。
【図１８】比較例１の表示部（液晶パネルの）をＶ１条件とした場合の視野角特性とその近似曲線とを併記したグラフである。
【図１９】比較例１の表示部（液晶パネルの）をＶ２条件とした場合の視野角特性とその近似曲線とを併記したグラフである。
【図２０】本発明の比較例である、各画素の面積分割比を１：０．５とした液晶パネルの視野角特性の１例を示すグラフである。
【図２１】本発明の比較例である、各画素の面積分割比を１：３とした液晶パネルの視野角特性の１例を示すグラフである。
【図２２】本発明の実施例である、液晶表示装置の制御部を面積分割画素駆動とフレーム分割画素駆動とを組み合わせて用いた液晶パネル（画素分割比１：１、比較例１に対応）の視野角特性を示すグラフである。
【図２３】本発明の実施例である、液晶表示装置の制御部を面積分割画素駆動とフレーム分割画素駆動とを組み合わせて用いた液晶パネル（画素分割比１：０．５、比較例２に対応）の視野角特性を示すグラフである。
【図２４】本発明の実施例である、液晶表示装置の制御部を面積分割画素駆動とフレーム分割画素駆動とを組み合わせて用いるものとした、液晶パネル（画素分割比１：３、比較例３に対応）の視野角特性を示すグラフである。
【図２５】本発明の実施例１〜３において使用した液晶パネルの液晶の応答特性を示すグラフである。
【図２６】液晶パネルの液晶応答速度によって、そのずれ量（Ｄ値）が変化する様子示すグラフである。
【図２７】図２６に対応する応答波形を示すグラフである。
【図２８】本発明の対象とした液晶パネルの液晶の応答速度を示すグラフである。
【図２９】従来技術を示すものであり、画像表示装置の表示を正面から見た正面輝度を横軸にとり、斜めから見た斜め輝度を縦軸にとった視野角特性を示すグラフである。
【図３０】本実施形態に係る液晶表示装置における、視野角特性についての主観評価の結果を示すグラフである。
【発明を実施するための最良の形態】
【００３２】  本発明の一実施形態について図に基づいて説明すると以下の通りである。【００３３】  〔第１および第２表示信号の調整について〕
本実施の形態にかかる液晶表示装置（本表示装置）は、複数のドメインに分割された垂直配向（ＶＡ）モードの液晶パネルを有するものである。
そして、本表示装置は、外部から入力された画像信号を液晶パネルに表示する液晶モニターとして機能するものである。【００３４】  図１は、本表示装置の内部構成を示すブロック図である。
この図に示すように、本表示装置は、フレームメモリ（Ｆ．Ｍ．）１１，前段ＬＵＴ１２，後段ＬＵＴ１３，表示部１４および制御部１５を備えている。【００３５】  フレームメモリ（画像信号入力部）１１は、外部の信号源から入力される画像信号（ＲＧＢ信号）を１フレーム分蓄積するものである。
前段ＬＵＴ（ｌｏｏｋ−ｕｐ  ｔａｂｌｅ）１２および後段ＬＵＴ１３は、外部から入力される画像信号と、表示部１４に出力する表示信号との対応表（変換表）である。【００３６】  なお、本表示装置は、サブフレーム表示を行うようになっている。ここで、サブフレーム表示とは、１つのフレームを複数のサブフレームに分けて表示を行う方法である。【００３７】  すなわち、本表示装置は、１フレーム期間に入力される１フレーム分の画像信号に基づいて、その２倍の周波数で、サイズ（期間）の等しい２つのサブフレームによって表示を行うように設計されている。【００３８】  そして、前段ＬＵＴ１２は、前段のサブフレーム（前サブフレーム；第２サブフレーム）において出力される表示信号（前段表示信号；第２表示信号）のための対応表である。一方、後段ＬＵＴ１３は、後段のサブフレーム（後サブフレーム；第１サブフレーム）において出力される表示信号（後段表示信号；第１表示信号）のための対応表である。【００３９】  表示部１４は、図１に示すように、液晶パネル２１，ゲートドライバー２２，ソースドライバー２３を備えており、入力される表示信号に基づいて画像表示を行うものである。ここで、液晶パネル２１は、ＶＡモードのアクティブマトリックス（ＴＦＴ）液晶パネルである。【００４０】  制御部１５は、本表示装置における全動作を制御する、本表示装置の中枢部である。そして、制御部１５は、上記した前段ＬＵＴ１２，後段ＬＵＴ１３を用いて、フレームメモリ１１に蓄積された画像信号から表示信号を生成し、表示部１４に出力するものである。【００４１】  すなわち、制御部１５は、通常の出力周波数（通常クロック；例えば２５ＭＨｚ）で送られてくる画像信号をフレームメモリ１１に蓄える。そして、制御部１５は、この画像信号を、通常クロックの２倍の周波数を有するクロック（倍クロック；５０ＭＨｚ）により、フレームメモリ１１から２回出力する。【００４２】  そして、制御部１５は、１回目に出力する画像信号に基づいて、前段ＬＵＴ１２を用いて前段表示信号を生成する。その後、２回目に出力する画像信号に基づいて、後段ＬＵＴ１３を用いて後段表示信号を生成する。そして、これらの表示信号を、倍クロックで順次的に表示部１４に出力する。【００４３】  これにより、表示部１４が、順に入力される２つの表示信号に基づいて、１フレーム期間に、互いに異なる画像を１回づつ表示する（両サブフレーム期間で、液晶パネル２１の全ゲートラインを１回づつＯＮとする）。
なお、表示信号の出力動作については、後により詳細に説明する。【００４４】  ここで、制御部１５による、前段表示信号および後段表示信号の生成について説明する。
まず、液晶パネルに関する一般的な表示輝度（パネルによって表示される画像の輝度）について説明する。【００４５】  通常の８ビットデータを、サブフレームを用いずに１フレームで画像を表示する場合（１フレーム期間で、液晶パネルの全ゲートラインを１回だけＯＮとする、通常ホールド表示する場合）、表示信号の輝度階調（信号階調）は、０〜２５５までの段階となる。【００４６】  そして、液晶パネルにおける信号階調と表示輝度とは、以下の（１）式によって近似的に表現される。【００４７】  （（Ｔ−Ｔ０）／（Ｔｍａｘ−Ｔ０））＝（Ｌ／Ｌｍａｘ）＾γ・・・（１）
ここで、Ｌは１フレームで画像を表示する場合（通常ホールド表示で画像を表示する場合）の信号階調（フレーム階調）、Ｌｍａｘは最大の輝度階調（２５５）、Ｔは表示輝度、Ｔｍａｘは最大輝度（Ｌ＝Ｌｍａｘ＝２５５のときの輝度；白）、Ｔ０は最小輝度（Ｌ＝０のときの輝度；黒）、γは補正値（通常２．２）である。
なお、実際の液晶パネル２１では、Ｔ０＝０ではない。しかしながら、説明を簡略化するため、以下では、Ｔ０＝０とする。【００４８】  また、この場合（通常ホールド表示の場合）に液晶パネル２１から出力される表示輝度Ｔを、図２にグラフとして示している。このグラフは、横軸に『出力されるはずの輝度（予定輝度；信号階調に応じた値，上記の表示輝度Ｔに相当）』を、縦軸に『実際に出力された輝度（実際輝度）』を示している。【００４９】  このグラフに示すように、この場合には、上記した２つの輝度は、液晶パネル２１の正面（視野角度０度）においては等しくなる。一方、視野角度を６０度としたときには、実際輝度が、階調γ特性の変化によって、中間調の輝度で明るくなってしまう。【００５０】  次に、本表示装置における表示輝度について説明する。
本表示装置では、制御部１５が、
（ａ）「前サブフレームおよび後サブフレームのそれぞれにおいて表示部１４によって表示される画像の輝度（表示輝度）の総和（１フレームにおける積分輝度）を、通常ホールド表示を行う場合の１フレームの表示輝度と等しくする」
（ｂ）「一方のサブフレームを黒（最小輝度）、または白（最大輝度）にする」
を満たすように階調表現を行うように設計されている。【００５１】  このために、本表示装置では、制御部１５が、フレームを２つのサブフレームに均等に分割し、１つのサブフレームによって最大輝度の半分までの輝度を表示するように設計されている。【００５２】  すなわち、最大輝度の半分（閾輝度；Ｔｍａｘ／２）までの輝度を１フレームで出力する場合（低輝度の場合）、制御部１５は、前サブフレームを最小輝度（黒）とし、後サブフレームの表示輝度のみを調整して階調表現を行う（後サブフレームのみを用いて階調表現を行う）。この場合、１フレームにおける積分輝度は『（最小輝度＋後サブフレームの輝度）／２』の輝度となる。【００５３】  また、上記の閾輝度より高い輝度を出力する場合（高輝度の場合）、制御部１５は、後サブフレームを最大輝度（白）とし、前サブフレームの表示輝度を調整して階調表現を行う。この場合、１フレームにおける積分輝度は『（前サブフレームの輝度＋最大輝度）／２』の輝度となる。【００５４】  次に、このような表示輝度を得るための表示信号（前段表示信号および後段表示信号）の信号階調設定について具体的に説明する。なお、信号階調設定については、図１に示した制御部１５が行う。【００５５】  制御部１５は、上記した（１）式を用いて、上記した閾輝度（Ｔｍａｘ／２）に対応するフレーム階調をあらかじめ算出しておく。すなわち、このような表示輝度に応じたフレーム階調（閾輝度階調；Ｌｔ）は、（１）式より、
Ｌｔ＝０．５＾（１／γ）×Ｌｍａｘ  ・・・（２）
ただし、Ｌｍａｘ＝Ｔｍａｘ＾γ    ・・・（２ａ）
となる。【００５６】  そして、制御部１５は、画像を表示する際、フレームメモリ１１から出力された画像信号に基づいて、フレーム階調Ｌを求める。そして、このＬがＬｔ以下の場合、制御部１５は、前段表示信号の輝度階調（Ｆとする）を、前段ＬＵＴ１２によって最小（０）とする。一方、制御部１５は、後段表示信号の輝度階調（Ｒとする）を、（１）式に基づいて、
Ｒ＝０．５＾（１／γ）×Ｌ    ・・・（３）
となるように、後段ＬＵＴ１３を用いて設定する。【００５７】  また、フレーム階調ＬがＬｔより大きい場合、制御部１５は、後段表示信号の輝度階調Ｒを最大（２５５）とする。一方、制御部１５は、前サブフレームの輝度階調Ｆを、（１）式に基づいて、
Ｆ＝（Ｌ＾γ−０．５×Ｌｍａｘ＾γ）＾（１／γ）・・・（４）
とする。【００５８】  次に、本表示装置における表示信号の出力動作について、より詳細に説明する。なお、以下では、液晶パネル２１の画素数をａ×ｂとする。この場合、制御部１５は、ソースドライバー２３に対し、倍クロックで、１番目のゲートラインの画素（ａ個）の前段表示信号を蓄積する。【００５９】  そして、制御部１５は、ゲートドライバー２２によって、１番目のゲートラインをＯＮとし、このゲートラインの画素に対して前段表示信号を書き込む。その後、制御部１５は、ソースドライバー２３に蓄積する前段表示信号を変えながら、同様に、２〜ｂ番目のゲートラインを倍クロックでＯＮしてゆく。これにより、１フレームの半分の期間（１／２フレーム期間）で、全ての画素に前段表示信号を書き込める。【００６０】  さらに、制御部１５は、同様の動作を行って、残りの１／２フレーム期間で、全ゲートラインの画素に後段表示信号の書き込みを行う。これにより、各画素には、前段表示信号と後段表示信号とが、それぞれ均等の時間（１／２フレーム期間）書き込まれることになる。【００６１】  図３は、このような前段表示信号および後段表示信号を前・後サブフレームに分けて出力するサブフレーム表示を行った結果（破線および実線）を、図２に示した結果（一点鎖線および実線）と合わせて示すグラフである。【００６２】  本表示装置では、図２に示したように、大きな視野角度での実際輝度と予定輝度（実線と同等）とのズレが、表示輝度が最小あるいは最大の場合に最小（０）となる一方、中間調（閾輝度近傍）で最も大きくなる液晶パネル２１を用いている。また、本表示装置では、１つのフレームをサブフレームに分割するサブフレーム表示を行っている。【００６３】  さらに、２つのサブフレームの期間を等しく設定し、低輝度の場合、１フレームにおける積分輝度を変化させない範囲で、前サブフレームを黒表示とし、後サブフレームのみを用いて表示を行っている。従って、前サブフレームでのズレが最小となるので、図３の破線に示すように、両サブフレームのトータルのズレを約半分に減らせる。【００６４】  一方、高輝度の場合、１フレームにおける積分輝度を変化させない範囲で、後サブフレームを白表示とし、前サブフレームの輝度だけを調整して表示を行っている。このため、この場合にも、後サブフレームのズレが最小となるので、図３の破線に示すように、両サブフレームのトータルのズレを約半分に減らせる。【００６５】  このように、本表示装置では、通常ホールド表示を行う構成（サブフレームを用いずに１フレームで画像を表示する構成）に比して、全体的にズレを約半分に減らすことが可能となっている。このため、図２に示したような、中間調の画像が明るくなって白く浮いてしまう現象（白浮き現象）を抑制することが可能である。【００６６】  なお、本実施の形態では、前サブフレームと後サブフレームとの期間が等しいとしている。これは、最大値の半分までの輝度を１つのサブフレームで表示するためである。しかしながら、これらのサブフレームの期間を、互いに異なる値に設定してもよい。【００６７】  すなわち、本表示装置において問題とされている白浮き現象は、視野角度の大きい場合に実際輝度が図２のような特��を持つことで、中間調の輝度の画像が明るくなって白く浮いて見える現象のことである。【００６８】  なお、通常、カメラに撮像された画像は、輝度に基づいた信号となる。そして、この画像をデジタル形式で送信する場合には、（１）式に示したγを用いて画像を表示信号に変換する（すなわち、輝度の信号を（１／γ）乗し、均等割りして階調をつける）。そして、このような表示信号に基づいて、液晶パネル等の表示装置によって表示される画像は、（１）式によって示される表示輝度を有することとなる。【００６９】  ところで、人間の視覚感覚は、画像を、輝度ではなく明度として受け取っている。また、明度（明度指数）Ｍとは、以下の（５）（６）式によって表されるものである（新編  色彩科学ハンドブック；第２版、東京大学出版会、１９９８年  参照）。【００７０】  Ｍ＝１１６×Ｙ＾（１／３）−１６，Ｙ＞０．００８８５６  ・・・（５）
Ｍ＝９０３．２９×Ｙ，Ｙ≦０．００８８５６              ・・・（６）
ここで、Ｙは、上記した実際輝度に相当するものであり、Ｙ＝（ｙ／ｙｎ）なる量である。なお、ｙは、任意な色のｘｙｚ表色系における三刺激値のｙ値であり、また、ｙｎは、完全拡散反射面の標準の光によるｙ値でありｙｎ＝１００と定められている。【００７１】  これらの式より、人間は、輝度的に暗い映像に対して敏感であり、明るい映像に対しては鈍感になっていく傾向がある。
そして、白浮きに関しても、人間は、輝度のズレではなく、明度のズレとして受け取っていると考えられる。【００７２】  ここで、図６は、図３に示した輝度のグラフを明度に変換したものを示すグラフである。このグラフは、横軸に『出力されるはずの明度（予定明度；信号階調に応じた値，上記の明度Ｍに相当）』を、縦軸に『実際に出力された明度（実際明度）』を示している。このグラフに実線で示すように、上記した２つの明度は、液晶パネル２１の正面（視野角度０度）においては等しくなる。【００７３】  一方、このグラフの破線に示すように、視野角度を６０度とし、かつ、各サブフレームの期間を均等とした場合（すなわち、最大値の半分までの輝度を１つのサブフレームで表示する場合）には、実際明度と予定明度とのズレは、通常ホールド表示を行う従来の場合よりは改善されている。従って、白浮き現象を、ある程度は抑制できていることがわかる。【００７４】  また、人間の視覚感覚にあわせて白浮き現象をより大きく抑制するためには、輝度ではなく、明度に合わせてフレームの分割割合を決定することがより好ましいといえる。そして、実際明度と予定明度とのズレは、輝度の場合と同様に、予定明度における最大値の半分の点で最も大きくなる。【００７５】  従って、最大値の半分までの輝度を１つのサブフレームで表示するようにフレームを分割するよりも、最大値の半分までの明度を１つのサブフレームで表示するようにフレームを分割する方が、人間に感じられるズレ（すなわち白浮き）を改善できることになる。【００７６】  そこで、以下に、フレームの分割点における好ましい値について説明する。
まず、演算を簡単に行うために、上記した（５）（６）式を、以下の（６ａ）式のような形（（１）式に類似の形）にまとめて近似する。
Ｍ＝Ｙ＾（１／α）    ・・・（６ａ）
このような形に変換した場合、この式のαは２．５が一般的である。【００７７】  そして、１つのサブフレームで、最大値の半分の明度Ｍを表示するためには、２つのサブフレームの期間を、γ＝２．２のときは約１：３とすることが好ましいことがわかっている。なお、このようにフレームを分割する場合には、輝度の小さいときに表示に使用する方のサブフレーム（高輝度の場合に最大輝度に維持しておく方のサブフレーム）を短い期間とすることとなる。【００７８】  以下に、前サブフレームと後サブフレームとの期間を３：１とする場合について説明する。【００７９】  まず、この場合における表示輝度について説明する。【００８０】  この場合には、最大輝度の１／４（閾輝度；Ｔｍａｘ／４）までの輝度を１フレームで出力する表示する低輝度表示を行う際、制御部１５は、前サブフレームを最小輝度（黒）とし、後サブフレームの表示輝度のみを調整して階調表現を行う（後サブフレームのみを用いて階調表現を行う）。【００８１】  このときには、１フレームにおける積分輝度は『（最小輝度＋後サブフレームの輝度）／４』の輝度となる。【００８２】  また、閾輝度（Ｔｍａｘ／４）より高い輝度を１フレームで出力する場合（高輝度の場合）、制御部１５は、後サブフレームを最大輝度（白）とし、前サブフレームの表示輝度を調整して階調表現を行う。この場合、１フレームにおける積分輝度は『（前サブフレームの輝度＋最大輝度）／４』の輝度となる。【００８３】  次に、このような表示輝度を得るための表示信号（前段表示信号および後段表示信号）の信号階調設定について具体的に説明する。なお、この場合にも、信号階調（および後述する出力動作）は、上記した（ａ）（ｂ）の条件を満たすように設定される。【００８４】  まず、制御部１５は、上記した（１）式を用いて、上記した閾輝度（Ｔｍａｘ／４）に対応するフレーム階調をあらかじめ算出しておく。すなわち、このような表示輝度に応じたフレーム階調（閾輝度階調；Ｌｔ）は、（１）式より、
Ｌｔ＝（１／４）＾（１／γ）×Ｌｍａｘ    ・・・（７）
そして、制御部１５は、画像を表示する際、フレームメモリ１１から出力された画像信号に基づいて、フレーム階調Ｌを求める。そして、このＬがＬｔ以下の場合、制御部１５は、前段表示信号の輝度階調（Ｆ）を、前段ＬＵＴ１２を用いて最小（０）とする。【００８５】  一方、制御部１５は、後段表示信号の輝度階調（Ｒ）を、（１）式に基づいて、Ｒ＝（１／４）＾（１／γ）×Ｌ    ・・・（８）
となるように、後段ＬＵＴ１３を用いて設定する。【００８６】  また、フレーム階調ＬがＬｔより大きい場合、制御部１５は、後段表示信号の輝度階調Ｒを最大（２５５）とする。一方、制御部１５は、前サブフレームの輝度階調Ｆを、（１）式に基づいて、
Ｆ＝（（Ｌ＾γ−（１／４）×Ｌｍａｘ−γ））＾（１／γ）・・・（９）とする。【００８７】  次に、このような前段表示信号および後段表示信号の出力動作について説明する。
上記したように、フレームを均等分割する構成では、画素には、前段表示信号と後段表示信号とが、それぞれ均等の時間（１／２フレーム期間）書き込まれる。これは、倍クロックで前段表示信号を全て書き込んだ後に、後段表示信号の書き込みを行うため、各表示信号に関するゲートラインのＯＮ期間が均等となったためである。【００８８】  従って、後段表示信号の書き込みの開始タイミング（後段表示信号に関するゲートＯＮタイミング）を変えることにより、分割の割合を変えられる。【００８９】  図４（ａ）は、フレームメモリ１１に入力される画像信号、図４（ｂ）は、３：１に分割する場合における、フレームメモリ１１から前段ＬＵＴ１２に出力される画像信号、そして、図４（ｃ）は、同じく後段ＬＵＴ１３に出力される画像信号を示す説明図である。また、図５は、同じく３：１に分割する場合における、前段表示信号と後段表示信号とに関するゲートラインのＯＮタイミングを示す説明図である。【００９０】  これらの図に示すように、この場合、制御部１５は、１フレーム目の前段表示信号を、通常のクロックで各ゲートラインの画素に書き込んでゆく。そして、３／４フレーム期間後に、後段表示信号の書き込みを開始する。このときからは、前段表示信号と後段表示信号とを、倍クロックで、交互に書き込んでゆく。【００９１】  すなわち、「全ゲートラインの３／４」番目のゲートラインの画素に前段表示信号を書き込んだ後、ソースドライバー２３に１番目のゲートラインに関する後段表示信号の蓄積し、このゲートラインをＯＮする。次に、ソースドライバー２３に「全ゲートラインの３／４」＋１番目のゲートラインに関する前段表示信号を蓄積し、このゲートラインをＯＮする。【００９２】  このように１フレーム目の３／４フレーム期間後から、倍クロックで、前段表示信号と後段表示信号とを交互に出力することで、前サブフレームと後サブフレームとの割合を３：１とすることが可能となる。そして、これら２つのサブフレームにおける表示輝度の総和（積分総和）が、１フレームにおける積分輝度となる。なお、フレームメモリ１１に蓄えられたデータは、ゲートタイミングにあわせてソースドライバー２３に出力されることになる。【００９３】  また、図７は、フレームを３：１に分割した場合における、予定明度と実際明度との関係を示すグラフである。図７に示すように、この構成では、予定明度と実際明度とのズレの最も大きくなる点でフレームを分割できている。従って、図６に示した結果に比べて、視野角度を６０度とした場合における予定明度と実際明度との差が、非常に小さくなっている。【００９４】  すなわち、本表示装置では、「Ｔｍａｘ／４」までの低輝度（低明度）の場合、１フレームにおける積分輝度を変化させない範囲で、前サブフレームを黒表示とし、後サブフレームのみを用いて表示を行っている。従って、前サブフレームでのズレ（実際明度と予定明度との差）が最小となるので、図７の破線に示すように、両サブフレームのトータルのズレを約半分に減らせる。【００９５】  一方、高輝度（高明度）の場合、１フレームにおける積分輝度を変化させない範囲で、後サブフレームを白表示とし、前サブフレームの輝度だけを調整して��示を行っている。このため、この場合にも、後サブフレームのズレが最小となるので、図７の破線に示すように、両サブフレームのトータルのズレを約半分に減らせる。【００９６】  このように、本表示装置では、通常ホールド表示を行う構成に比して、全体的に明度のズレを約半分に減らすことが可能となっている。このため、図２に示したような、中間調の画像が明るくなって白く浮いてしまう現象（白浮き現象）を、より効果的に抑制することが可能である。【００９７】  ここで、上記では、表示開始時から３／４フレーム期間までの間において、１フレーム目の前段表示信号を、通常のクロックで各ゲートラインの画素に書き込むとしている。これは、後段表示信号を書き込むべきタイミングに達していないからである。【００９８】  しかしながら、このような措置に変えて、ダミーの後段表示信号を用いて、表示開始時から倍クロックでの表示を行うようにしてもよい。すなわち、表示開始時から３／４フレーム期間までの間に、前段表示信号と、信号階調０の後段表示信号（ダミーの後段表示信号）とを交互に出力するようにしてもよい。【００９９】  ここで、以下に、より一般的に、前サブフレームと後サブフレームとの割合をｎ：１とする場合について説明する。この場合、制御部１５は、最大輝度の１／（ｎ＋１）（閾輝度；Ｔｍａｘ／（ｎ＋１））までの輝度を１フレームで出力する場合（低輝度の場合）、前サブフレームを最小輝度（黒）とし、後サブフレームの表示輝度のみを調整して階調表現を行う（後サブフレームのみを用いて階調表現を行う）。この場合、１フレームにおける積分輝度は『（最小輝度＋後サブフレームの輝度）／（ｎ＋１）』の輝度となる。【０１００】  また、閾輝度（Ｔｍａｘ／（ｎ＋１））より高い輝度を出力する場合（高輝度の場合）、制御部１５は、後サブフレームを最大輝度（白）とし、前サブフレームの表示輝度を調整して階調表現を行う。この場合、１フレームにおける積分輝度は『（前サブフレームの輝度＋最大輝度）／（ｎ＋１）』の輝度となる。【０１０１】  次に、このような表示輝度を得るための表示信号（前段表示信号および後段表示信号）の信号階調設定について具体的に説明する。なお、この場合にも、信号階調（および後述する出力動作）は、上記した（ａ）（ｂ）の条件を満たすように設定される。【０１０２】  まず、制御部１５は、上記した（１）式を用いて、上記した閾輝度（Ｔｍａｘ／（ｎ＋１））に対応するフレーム階調をあらかじめ算出しておく。【０１０３】  すなわち、このような表示輝度に応じたフレーム階調（閾輝度階調；Ｌｔ）は、（１）式より、
Ｌｔ＝（１／（ｎ＋１））＾（１／γ）×Ｌｍａｘ    ・・・（１０）
制御部１５は、画像を表示する際、フレームメモリ１１から出力された画像信号に基づいて、フレーム階調Ｌを求める。このＬがＬｔ以下の場合、制御部１５は、前段表示信号の輝度階調（Ｆ）を、前段ＬＵＴ１２を用いて最小（０）とする。【０１０４】  一方、制御部１５は、後段表示信号の輝度階調（Ｒ）を、（１）式に基づいて、
Ｒ＝（１／（ｎ＋１））＾（１／γ）×Ｌ    ・・・（１１）
となるように、後段ＬＵＴ１３を用いて設定する。【０１０５】  フレーム階調ＬがＬｔより大きい場合、制御部１５は、後段表示信号の輝度階調Ｒを最大（２５５）とする。【０１０６】  一方、制御部１５は、前サブフレームの輝度階調Ｆを、（１）式に基づいて、
Ｆ＝（（Ｌ＾γ−（１／（ｎ＋１））×Ｌｍａｘ＾γ））＾（１／γ）・・・（１２）
とする。【０１０７】  また、表示信号の出力動作については、フレームを３：１に分けた場合の動作において、１フレーム目のｎ／（ｎ＋１）フレーム期間後から、倍クロックで、前段表示信号と後段表示信号とを交互に出力するように設計すればよい。【０１０８】  また、フレームを均等分割する構成は、以下のような構成であるといえる。すなわち、１フレームを「１＋ｎ（＝１）」のサブフレーム期間に分割する。そして、通常クロックの「１＋ｎ（＝１）」倍のクロックで、１つのサブフレーム期間に前段表示信号を出力し、後のｎ（＝１）個のサブフレーム期間に後段表示信号を連続的に出力する。【０１０９】  しかしながら、この構成では、ｎが２以上となると、クロックを非常に速める必要があるため、装置コストが増大する。従って、ｎが２以上となる場合には、上記したような前段表示信号と後段表示信号とを交互に出力する構成とすることが好ましい。この場合には、後段表示信号の出力タイミングを調整することで、前サブフレームと後サブフレームとの割合をｎ：１とすることが可能となるため、必要となるクロック周波数を、通常の２倍に維持できる。【０１１０】  また、本実施の形態では、制御部１５が、前段ＬＵＴ１２，後段ＬＵＴ１３を用いて、画像信号を表示信号に変換するとしている。ここで、本表示装置に備える前段ＬＵＴ１２，後段ＬＵＴ１３を、複数としてもよい。【０１１１】  〔画素分割駆動について〕
また、本表示装置を、画素分割駆動（面積階調駆動）するように設計してもよい。以下に、本表示装置の画素分割駆動について説明する。図８は、画素分割で駆動される液晶パネル２１の構成を示す説明図である。【０１１２】  この図に示すように、画素分割駆動では、液晶パネル２１のゲートラインＧおよびソースラインＳに接続された１つの画素Ｐを、２つ副画素（サブピクセル）ＳＰ１・ＳＰ２に分割する。そして、各副画素ＳＰ１・ＳＰ２に印加する電圧を変えて、表示を行うようになる。なお、このような画素分割駆動については、例えば、特開２００４−７８１５７号公報、特開２００３−２９５１６０号公報、特開２００４−６２１４６号公報、および特開２００４−２５８１３９号公報に記載されている。【０１１３】  以下に、画素分割駆動について、簡単に説明する。【０１１４】  図８に示すように、画素分割駆動を行う構成の本表示装置では、１つの画素Ｐを挟むように、異なる２本の補助容量配線ＣＳ１・ＣＳ２が配されている。これら補助容量配線ＣＳ１・ＣＳ２は、それぞれ、副画素ＳＰ１・ＳＰ２の一方に接続されている。【０１１５】  また、各副画素ＳＰ１・ＳＰ２内には、ＴＦＴ３１，液晶容量３２，補助容量３３が設けられている。【０１１６】  ＴＦＴ３１は、ゲートラインＧおよびソースラインＳおよび液晶容量３２に接続されている。補助容量３３は、ＴＦＴ３１，液晶容量３２および補助容量配線ＣＳ１あるいはＣＳ２に接続されている。この補助容量配線ＣＳ１・ＣＳ２には、所定周波数の交流電圧信号である補助信号が印加されている。また、補助容量配線ＣＳ１・ＣＳ２に印加される補助信号の位相は、互いに反転している（１８０°異なっている）。【０１１７】  液晶容量３２は、ＴＦＴ３１，共通電圧Ｖｃｏｍおよび補助容量３３に接続されている。また、液晶容量３２は、自身とゲートラインＧとの間に生成される、寄生容量３４に接続される。【０１１８】  この構成において、ゲートラインＧがＯＮ状態となると、１つの画素Ｐにおける両副画素ＳＰ１・ＳＰ２のＴＦＴ３１が導通状態となる。【０１１９】  図９（ａ）および図９（ｃ）は、このときにソースラインＳに正（≧Ｖｃｏｍ）の表示信号が印加された場合における、副画素ＳＰ１・ＳＰ２の液晶容量３２に印加される電圧（液晶電圧）を示すグラフである。【０１２０】  この場合、これらの図９（ａ）および図９（ｃ）に示すように、両副画素ＳＰ１・ＳＰ２の液晶容量３２の電圧値は、表示信号に応じた値（Ｖ０）まで上昇する。そして、ゲートラインＧがＯＦＦ状態となると、寄生容量３４に起因するゲート引き込み現象の影響で、液晶電圧がＶｄだけ下がる。【０１２１】  このとき、図９（ａ）に示すように、補助容量配線ＣＳ１の補助信号が立ち上がった場合（ローからハイになった場合）、これに接続されている副画素ＳＰ１の液晶電圧は、Ｖｃｓ（補助容量配線ＣＳ１に流れる補助信号の振幅に応じた値）だけ上昇する。そして、Ｖ０〜Ｖ０−Ｖｄの間で、補助容量配線ＣＳの周波数に応じて、振幅Ｖｃｓをもって、補助信号の周波数に応じて振動することとなる。【０１２２】  一方、この場合には、図９（ｃ）に示すように、補助容量配線ＣＳ２の補助信号は立ち下がる（ハイからローになる）。そして、これに接続されている副画素ＳＰ２の液晶電圧は、補助信号の振幅に応じた値Ｖｃｓだけ下降する。その後、Ｖ０−Ｖｄ〜Ｖ０−Ｖｄ−Ｖｃｓの間で振動する。【０１２３】  また、図９（ｂ）および図９（ｄ）は、ゲートラインＧがＯＮとなったときにソースラインＳに負（≦Ｖｃｏｍ）の表示信号が印加された場合における、副画素ＳＰ１・ＳＰ２の液晶電圧を示すグラフである。この場合、これらの図に示すように、副画素ＳＰ１・ＳＰ２の液晶電圧は、表示信号に応じた値（−Ｖ１）まで下降する。その後、ゲートラインＧがＯＦＦ状態となると、上記の引き込み現象によって、液晶電圧はＶｄだけさらに下がる。【０１２４】  このとき、図９（ｂ）に示すように、補助容量配線ＣＳ１の補助信号が立ち下がった場合、これに接続されている副画素ＳＰ１の液晶電圧は、Ｖｃｓだけさらに下降する。そして、上記の液晶電圧は、−Ｖ０−Ｖｄ−Ｖｃｓ〜−Ｖ０−Ｖｄの間で振動することとなる。【０１２５】  一方、この場合には、図９（ｄ）に示すように、補助容量配線ＣＳ２の補助信号は立ち上がる。そして、これに接続されている副画素ＳＰ２の液晶電圧は、Ｖｃｓだけ上昇する。その後、Ｖ０−Ｖｄ〜Ｖ０−Ｖｄ−Ｖｃｓの間で振動する。【０１２６】  このように、補助容量配線ＣＳ１・ＣＳ２に位相の１８０°異なる補助信号を印加することで、副画素ＳＰ１・ＳＰ２の液晶電圧を、互いに異ならせることが可能となる。すなわち、ソースラインＳの表示信号が正の場合、引き込み現象の直後に立ち上がる補助信号を入力する副画素については、液晶電圧の絶対値が表示信号電圧より高くなる（図９（ａ））。【０１２７】  一方、このときに立ち下がる補助信号を入力する副画素については、液晶電圧の絶対値が表示信号電圧より低くなる（図９（ｃ））。【０１２８】  また、ソースラインＳの表示信号が負の場合、引き込み現象の直後に電位が立ち下がる補助信号を入力する副画素については、液晶容量３２の印加電圧の絶対値が表示信号電圧より高くなる（図９（ｂ））。【０１２９】  一方、このときに立ち上がる補助信号を入力する副画素については、液晶電圧の絶対値が表示信号電圧より低くなる（図９（ｄ））。【０１３０】  従って、図９（ａ）ないし図９（ｄ）に示した例では、副画素ＳＰ１の液晶電圧（絶対値）が、副画素ＳＰ２よりも高くなる（副画素ＳＰ１の表示輝度が、副画素ＳＰ２より高くなる）。また、副画素ＳＰ１・ＳＰ２の液晶電圧の差（Ｖｃｓ）については、補助容量配線ＣＳ１・ＣＳ２に印加する補助信号の振幅値に応じて制御できる。これにより、２つの副画素ＳＰ１・ＳＰ２の表示輝度（第１輝度，第２輝度）に、所望の差をつけることが可能となる。【０１３１】  表１に、輝度の高くなる副画素（明画素）および輝度の低くなる副画素（暗画素）に印加される、液晶電圧の極性と、引き込み現象の直後での補助信号の状態をまとめて示す。なお、この表では、液晶電圧の極性を「＋，−」でしめしている。また、引き込み現象の直後で補助信号が立ち上がる場合を「↑」で、立ち下がる場合を「↓」で示している。【０１３２】
【表１】
0004176818.tif 000002
【０１３３】  なお、画素分割駆動では、画素Ｐの輝度は、２つの副画素ＳＰ１・ＳＰ２の輝度（液晶の透過率に相当）の合計となる。【０１３４】  図１０は、画素分割駆動を行わない場合における、２つの視野角（０°（正面）および６０°）での、液晶パネル２１の透過率と印加電圧との関係を示すグラフである。このグラフに示すように、正面での透過率がＮＡの場合（ＮＡとなるように液晶電圧を制御した場合）、視野角６０°での透過率はＬＡとなる。【０１３５】  ここで、画素分割駆動において正面の透過率をＮＡとするためには、２つの副画素ＳＰ１・ＳＰ２に、Ｖｃｓだけ異なる電圧を印加し、それぞれの透過率をＮＢ１・ＮＢ２とすればよい（ＮＡ＝（ＮＢ１＋ＮＢ２）／２）。【０１３６】  また、副画素ＳＰ１・ＳＰ２における０°での透過率がＮＢ１・ＮＢ２である場合、６０°での透過率はＬＢ１・ＬＢ２となる。そして、ＬＢ１は、ほぼ０である。従って、１画素での透過率はＭ（ＬＢ２／２）となり、ＬＡより低くなる。このように、画素分割駆動を行うことで、視野角特性を向上させることが可能となる。【０１３７】  また、例えば、画素分割駆動を用いれば、ＣＳ信号の振幅を大きくすることにより、一方の副画素の輝度を黒表示（白表示）とし、他方の副画素の輝度を調整することで、低輝度（高輝度）の画像を表示することも可能である。これにより、サブフレーム表示と同様に、一方の副画素における表示輝度と実際輝度とのズレを最小にできるため、視野角特性をさらに向上させられる。【０１３８】  また、上記の構成において、一方の副画素を黒表示（白表示）としない構成としてもよい。すなわち、双方の副画素に輝度差が生じれば、原理的には、視野角を改善できる。従って、ＣＳ振幅を小さくできるので、パネル駆動の設計が容易となる。また、全ての表示信号に関して、副画素ＳＰ１・ＳＰ２の輝度に差をつける必要はない。例えば、白表示・黒表示の際には、これらの輝度を等しくすることが好ましい。従って、少なくとも１つの表示信号（表示信号電圧）に対して、副画素ＳＰ１を第１輝度とする一方、副画素ＳＰ２を、第１輝度とは異なる第２輝度とするように設計されていればよい。【０１３９】  また、上記の画素分割駆動については、フレームごとに、ソースラインＳに印加する表示信号の極性を変更することが好ましい。すなわち、あるフレームで副画素ＳＰ１・ＳＰ２を図９（ａ）または図９（ｃ）のように駆動した場合、次のフレームでは、図９（ｂ）または図９（ｄ）のように駆動することが好ましい。これにより、画素Ｐの２つの液晶容量３２にかかる、２フレームでのトータル電圧を０Ｖとできる。従って、印加電圧の直流成分をキャンセルすることが可能となる。【０１４０】  なお、上記した画素分割駆動では、１つの画素を２つに分割するとしている。しかしながら、これに限らず、１つの画素を３つ上の副画素に分割してもよい。【０１４１】  上記したような画素分割駆動については、通常ホールド表示と組み合わせてもよいし、サブフレーム表示とを組み合わせてもよい。さらに、極性反転駆動を組み合わせてもよい。【０１４２】  また、本実施形態の表示装置は、図１１に示す回路構成により画素を分割することとしてもよく、分割された画素電極の電圧を、Ｖａ、Ｖｂとすると、
Ｖａ＝Ｖｄ×Ｃｄｃｅａ／（Ｃｄｃｅａ＋Ｃｌｃａ）
Ｖｂ＝Ｖｄ×Ｃｄｅｃｂ／（Ｃｄｅｃｂ＋Ｃｌｃｂ）である。【０１４３】  このように、１つの画素領域を２つの副画素に分けて、両領域で少し差があるように電界が形成されれば、２つの領域の影響が互いに補償されて側面視認性が向上される。この時、２つの領域（画素電極）のうち一方の電圧Ｖａを、他方の画素電極の電圧Ｖｂより高く設定することによって副画素に電位差が生じ、面積分割画素駆動と同等の効果が得られる。【０１４４】  Ｖａ，Ｖｂの調整は、液晶表示装置の設計の段階で、Ｃｄｃｅａ，Ｃｄｃｅｂ，Ｃｌｃｂを決めればよい。また、図１１に記載の液晶表示装置において、例えば、Ｃｄｃｅｂを外して、ドレイン電極とＣｌｃｂとを直接つなげて、Ｃｄｃｅａ，Ｃｌｃａを調整することにより、Ｖｂ（Ｖｄ）とＶａとの間に電位差を生じさせることとしてもよい。【０１４５】  〔第１および第２表示信号の輝度階調の調整〕
上述した、画素分割駆動の液晶表示装置において、第１および第２表示信号の調整により色ずれ現象を抑制することについて、以下に説明する。【０１４６】  従来の面積分割画素駆動方式による液晶表示装置では、視野角特性の変曲による色ずれの問題があることは、前述したとおりである。さらに、第１副画素および第２副画素からなる画素を備えた液晶表示装置において、１フレームに表示部から出力される輝度の総和をフレームの分割によって変えないように、第１および第２サブフレームの表示信号である第１および第２表示信号を生成し、表示部に出力する構成（以下、フレーム分割画素駆動という）を用いることにより、白浮き現象および色ずれ現象を抑えることができる。【０１４７】  しかしながら、単に、面積分割画素駆動方式の画素を備えた液晶表示装置にフレーム分割画素駆動を用いただけでは、視野角特性の変曲に起因した色ずれ現象が生じることとなる。この色ずれ現象が生じる理由を、以下に説明する。【０１４８】  図１２は、面積分割画素駆動方式の画素を備えた液晶表示装置にフレーム分割画素駆動を用いた液晶表示装置の視野角特性を示すグラフである。ここでは、（Ｒ：赤、Ｇ：緑，Ｂ：青）の３色が、（Ｒ，Ｇ，Ｂ）＝（１６０，１２０，８０）階調で構成される肌色を例にして説明する。輝度は階調の２．２乗なので、（Ｒ，Ｇ，Ｂ）はそれぞれ、図１２に示した位置にある。【０１４９】  この肌色を斜め６０度から見た時は、ＲＧＢそれぞれの輝度が、液晶表示装置の視野角特性に合わせて増加する。ここで、同図に示すように、Ｇは、正面から見たときと斜め６０度から見たときとで、輝度がほとんど変化しないのに対し、ＲおよびＢは、斜め６０度のから見たときの輝度が、正面から見たときよりも増加している。このため、上記肌色を構成する（Ｒ，Ｇ，Ｂ）の輝度比が、正面から見たときの輝度比からずれてしまい、結果的に、斜めから見たときの肌色が正面から見たときの肌色からずれてしまう。この色ずれ現象は、視野角特性の変曲点の曲率が大きいほど顕著である。【０１５０】  したがって、面積分割画素駆動方式の画素を備えた液晶表示装置にフレーム分割画素駆動を用いる場合に、上記色ずれ現象を改善するためには、正面輝度と斜め６０度輝度との関係を示す視野角特性（図１２の破線参照）が、なるべく変曲の少ないものとなるようにすることが有効である。【０１５１】  以下の方法に従い第１および第２表示信号の輝度階調を調整することにより、液晶表示装置の色ずれ現象の問題を抑制できる。
１  表示部（表示パネル）の視野角を測定する。
２  測定した正面輝度、斜め輝度を、それぞれ最大輝度、最小輝度で規格化する。例えば、斜め輝度は水平６０°、垂直０°の値を用いる。
３  表示部の、正面および斜めの視野角特性を明度に変換する。明度の計算には、輝度の１／２．５乗の近似式を用いる。この明度換算を行うことにより、輝度と実際の見え方に対して相関を持たせることができる。例えば、一定の輝度増加に対して、輝度が低い時は人間の目には敏感に感じられ、明るい時はあまり輝度差を感じないという目の特性を考慮することができる。
ちなみに、明度（Ｌ＊）は厳密には、
Ｌ＊＝１１６（Ｙ）＾（１／３）−１６（Ｙ／Ｙ０＞０．００８８５）
（Ｙ：規格化輝度）
であるが、この式はＬ＝Ｙ＾（１／２．５）で近似できることが一般に知られている。
４  横軸を［正面規格化明度（正面明度）］、縦軸を［斜め規格化明度（斜め明度）］として、表示部の視野角特性のグラフを作成する。図１３のグラフ中の最も太い実線で示された曲線が、視野角特性（Ａ（ｘ））を示している
５  上記視野角特性を示す曲線に近似する近似曲線（ｘ＾（ｎ／２．２））を求める。
ここで、近似曲線はｘ＾（ｎ／２．２）の関数とする。ｎの値は近似ガンマ係数として定義する。この関数は、ｎが２．２に近づくに従ってグラフ上で直線に近づく。また、ｎ＝２．２ということは、階調と輝度との関係が２．２乗ということであり、両者が理想の関係を満たしていることを意味している。
６  近似ガンマ係数ｎを求める。
視野角特性と近似曲線と差分（図１３中の斜線を示した部分）の積分値が最小になる様なｎの値を探す。このとき、同図中にＸｎ／２．２として示す近似曲線よりも、Ａ（ｘ）として示すと視野角特性の曲線が、下であればマイナス、上であればプラスとして積分する。
この時のｎを用いた近似曲線が視野角特性に最も近似する曲線に相当すると考える。
７  ずれ量Ｍを求める。
視野角特性の斜め明度と近似曲線の斜め明度との差の絶対値の積分値をずれ量Ｍとする。
具体的な数式は以下の通りである。
ずれ量Ｍ＝∫｜Ａ（ｘ）−ｘ＾（ｎ／２．２）｜ｄｘ
ここで、上記ずれ量Ｍが０の時は、近似曲線からのずれがないことを意味する。【０１５２】  〔視野角特性の測定条件について〕
液晶表示装置の色ずれ現象を抑制するためには、液晶表示装置の表示部の視野角測定を行う必要がある。以下では、表示部（液晶パネル）の視野角特性を測定する際において、測定条件について説明する。図１４（ａ）、図１４（ｂ）、図１４（ｃ）は順に、視野角特性を測定する際に表示部の上面、正面、横方向から見た、輝度測定器５１、５２と表示部との位置関係を示す概略図である。【０１５３】  図１４（ｂ）に示すように、液晶表示装置の表示部における測定ポイントとしては、各画素のブラックマスクなどの影響を避けるため、５０〜１００ピクセル程度の面積が必要である。なお、同図では、表示部の測定ポイントを示すために、輝度測定器５１、５２の記載を省略している。また、図１４（ａ）に示すように、輝度測定器５１は表示部の表示パネル面に対して正面に来るように配置し、輝度測定器５２は正面から６０°斜め方向に配置する。また、図１４（ｃ）に示すように、測定機器５１、５２は、その測定方向が表示パネルの上下方向に対して直角となるように配置される。【０１５４】  測定において用いられる入力信号としては、輝度測定器５１による測定で、表示パネルの測定ポイントが表示パネル自身の最小輝度から最大輝度までを表示できる信号を使用する。特に、最近のＴＶセットは入力信号によりバックライトの調光機能やガンマ特性が変わる機能があるため、それらの機能を外すなどして、これらの影響が測定結果に出ないように注意する。【０１５５】  測定は最小輝度から最大輝度まで行い、測定間隔は最小輝度を０階調、最大輝度を２５５階調とする場合、１６階調間隔で行う。
この時、階調Ｎの時の測定輝度は、
測定輝度（Ｎ）＝［最大輝度−最小輝度］×（Ｎ／２５５）＾（２．２）＋［最小輝度］
を満足するようにする。【０１５６】  また、各階調の輝度測定は、測定器５１と測定器５２とを用いて、同時にそれぞれ正面輝度と斜め輝度として測定し、測定時間は１フレームの整数倍の時間、または整数倍でなければ１秒間以上行う。【０１５７】  表示部の表示面の測定ポイントからの距離（測定距離）は、測定ポイントの輝度が十分に測定できる距離であればよく、測定器５１、５２は必ずしも距離を一致させる必要はないが、極端に離れないようにしておくほうが望ましい。また、測定は、測定環境：暗室、測定温度：、室温（２５℃）で、行うこととする。【０１５８】  〔近似ガンマ係数と色ずれ量について〕
（１  近似ガンマ係数（ｎ値）について）
図１３に示した、視野角特性に対する近似曲線の関数（Ｘｎ／２．２）は全体になだらかな曲線を描くものであり、この曲線の視野角特性を備えた表示部であれば、色ずれ現象に関しては問題ないレベルであるといえる。すなわち、上述したとおり、色ずれ現象は視野角特性を示す曲線の変曲に起因するものであるので、表示部の視野角特性を上記関数の曲線に近づけることにより、色ずれ現象を抑制することができる。【０１５９】  また、上記近似曲線のガンマ係数が２．２を下回るほど、表示部は白浮きの大きい特性となる。このため、上記近似曲線のγ係数ｎは、表示部の全体的な白浮きの目安として使用することができる。【０１６０】  （２  ずれ量（Ｄ値）について）
本実施の形態の液晶表示装置では、図１３を用いて説明した、視野角特性に対する近似曲線とのずれ量を、斜めから見た場合の表示部特性に関するなだらかさの目安として使用する。ずれ量を小さくすることにより、実際の表示部の視野角特性を示す曲線において変曲が小さくなるから、斜めから見た場合に色ずれによる違和感の少ない特性を備えた表示部とすることができる。【０１６１】  第１および第２サブフレームの表示信号である第１および第２表示信号を調整して、視野角特性に近似する近似曲線との差分の積分値が０となるようにすることが好ましいが、Ｄ値が０．０２０２以下となるようにすれば、実際の使用上、表示部の色ずれは問題のないレベルとなる。なお、Ｄ値が０．０２０２以下というのは、画素分割階調駆動を行っている既存商品にて達成されている値である。【０１６２】  また、本実施形態の液晶表示装置は、面積分割画素駆動とフレーム分割画素駆動とを併用した制御部を備えているから、面積分割画素駆動のみによっては達成できないＤ値を実現することができる。具体的には、Ｄ値が０．０２０２以下の視野角特性の表示部を実現することができる。【０１６３】  このように、本実施形態に係る液晶表示装置では、Ｄ値が０．０２０２以下の視野角特性の表示部を実現可能であることから、従来の表示装置では達成が困難であった範囲について、より好適な視野角特性を求めるべく主観評価を行い、Ｄ値と上述した近似ガンマ係数であるｎ値との関係を求めた。【０１６４】  この主観評価では、Ｄ値の範囲を０〜０．０２５、ｎ値の範囲を１．２〜２．２として評価を行っており、Ｄ値およびｎ値を異ならせたそれぞれ評価画像に対して、以下の５段階で被験者による主観評価を行った。具体的には、各評価画像に対して、正面からの視認画像（原画）と斜めからの視認画像（実際には斜めからの視認画像と同等の見え方になるように視野角特性を階調に変換した画像処理画像）とを比較し、斜めからの視認画像における色ずれおよび白浮きの発生の観点から各評価画像を点数化した。つまり、被験者は、評価画像に対して、以下のような基準にて各評価画像を点数化しているが、４．５などの間の値も使用して評価を行っている。
５点（原画と）ほぼ同等
４点（原画と）差が少し分かるが気にならない
３点（原画と）差が分かるが気にならない
２点（原画と）差が分かり嫌味になる
１点（原画と）差が分かり非常に嫌味になる
上記主観評価の結果を図３０に示す。図３０は、横軸に近似ガンマ係数（ｎ値）、縦軸にずれ量（Ｄ値）をとり、各評価画像の点数をパラメータとして領域分けされている。図３０では、点数が４．５〜５となる範囲を検知限、３．５〜４．５となる範囲を許容限、２．５〜３．５となる範囲を我慢限として示している。【０１６５】  ここで、検知限は、正面画像に対して斜め画像での劣化が分からない領域である。許容限は、劣化が分かるが気にならない程度の領域である。また、我慢限は、劣化が邪魔になる領域である。【０１６６】  図３０より、検知限および許容限を含む領域は、Ｄ値が０．０１５以下、かつｎ値が１．７５以上の範囲にほぼ一致する。より詳細に評価すれば、Ｄ値が０．０１５以下であれば、色ずれが許容限に抑制できる。また、ｎ値が１．７５以上であれば、白浮きが許容限に抑制できる。したがって、本実施形態に係る液晶表示装置では、Ｄ値が０．０１５以下、かつｎ値が１．７５以上となるように調整されれば、表示部の色ずれおよび白浮きを、従来に比べてより低減されたレベルとすることができる。【０１６７】  〔ずれ量（Ｄ値）の調整〕
表示装置の表示部のずれ量（Ｄ値）は、サブピクセル（第１副画素と、第２副画素）の面積比を変化させることにより調整できるが、本発明はフレーム分割画素駆動を併用しているので、さらに次に示すような面積階調駆動にはパラメータを用いて、ずれ量を調整することもできる。具体的には、フレーム分割画素駆動における時分割比の調整がこれにあたる。【０１６８】  時分割比を変更することによっても、表示部のずれ量を調整することができるが、これによっても、画素分割比を変更するのと同様の効果があり、画素分割比と時分割比を独立に調整することにより、さらに小さいずれ量を達成することができる。【０１６９】  また、ＬＵＴ（ｌｏｏｋ−ｕｐ  ｔａｂｌｅ）を調整してずれ量を調整することも考えられる。具体的には図１５に示すようなＬＵＴが、例としてあげられる。同図は、横軸が入力階調、縦軸がテーブルから出力する階調データであり、フレームを２分割してサブフレーム１、２とする場合を示している。例えば、１２８階調の入力が入った時、サブフレーム１用ＬＵＴからはＡの階調が出力され、サブフレーム２用ＬＵＴは０階調のままである。【０１７０】  このように、本実施例の液晶表示装置が用いるフレーム分割画素駆動は、通常、サブフレーム１が２５５階調を出力するまで、サブフレーム２の出力は０階調のままである。ここで輝度１／２に相当する階調では、サブフレーム１、２の出力がそれぞれ２５５階調、０階調となるから、視野角特性が最も白浮きが少ない階調といえる。逆に言うと、輝度１／２に相当する階調が、視野角特性の変曲点に相当する階調となる。つまり、この階調付近のテーブルを調整することによって変曲を少なくし、結果的にずれ量を小さく調整することができる。【０１７１】  例えば、図１５に破線で示したように、サブフレーム１が２５５階調を出力する前にサブフレーム２の出力が０階調より大きくなるテーブルを用いることにより、ずれ量を小さくすることができる。このようなテーブルの調整によってサブフレーム１とサブフレーム２とが、同時に２５５階調と０階調を出力することが無くなるから、図１６に示すように変曲を小さくすることが可能となる。【０１７２】  また、上述した液晶表示装置は、液晶モニター等の画像表示モニターとして機能させることも可能であり、テレビジョン受像機として機能させることも可能である。【０１７３】  上記液晶表示装置を画像表示モニターとして機能させる場合には、外部から入力された画像信号をコントロールＬＳＩに入力する信号入力部（例えば、入力用ポート）を備えることで実現できる。一方、上記画像表示装置をテレビジョン受像機として機能させる場合は、本画像表示装置に、チューナ部を備えることで実現できる。このチューナ部は、テレビ放送信号のチャネルを選択し、選択されたチャネルのテレビ画像信号を、入力画像信号としてコントロールＬＳＩに入力する。【０１７４】  また、上記では、本表示装置における全ての処理を、制御部１５（図１参照）の制御により行うとしている。しかしながら、これに限らず、これらの処理を行うためのプログラムを記録媒体に記録し、このプログラムを読み出すことのできる情報処理装置を、制御部に代えて用いるようにして��よい。【０１７５】  この構成では、情報処理装置の演算装置（ＣＰＵやＭＰＵ）が、記録媒体に記録されているプログラムを読み出して処理を実行する。従って、このプログラム自体が処理を実現するといえる。【０１７６】  ここで、上記の情報処理装置としては、一般的なコンピューター（ワークステーションやパソコン）の他に、コンピューターに装着される、機能拡張ボードや機能拡張ユ２つトを用いることができる。【０１７７】  また、上記のプログラムとは、処理を実現するソフトウェアのプログラムコード（実行形式プログラム，中間コードプログラム，ソースプログラム等）のことである。このプログラムは、単体で使用されるものでも、他のプログラム（ＯＳ等）と組み合わせて用いられるものでもよい。また、このプログラムは、記録媒体から読み出された後、装置内のメモリ（ＲＡＭ等）にいったん記憶され、その後再び読み出されて実行されるようなものでもよい。【０１７８】  また、プログラムを記録させる記録媒体は、情報処理装置と容易に分離できるものでもよいし、装置に固定（装着）されるものでもよい。さらに、外部記憶機器として装置に接続するものでもよい。【０１７９】  このような記録媒体としては、ビデオテープやカセットテープ等の磁気テープ、フロッピー（登録商標）ディスクやハードディスク等の磁気ディスク、ＣＤ−ＲＯＭ，ＭＯ，ＭＤ，ＤＶＤ，ＣＤ−Ｒ等の光ディスク（光磁気ディスク）、ＩＣカード，光カード等のメモリカード、マスクＲＯＭ，ＥＰＲＯＭ，ＥＥＰＲＯＭ，フラッシュＲＯＭ等の半導体メモリなどを適用できる。【０１８０】  また、ネットワーク（イントラネット・インターネット等）を介して情報処理装置と接続されている記録媒体を用いてもよい。この場合、情報処理装置は、ネットワークを介するダウンロードによりプログラムを取得する。すなわち、上記のプログラムを、ネットワーク（有線回線あるいは無線回線に接続されたもの）等の伝送媒体（流動的にプログラムを保持する媒体）を介して取得するようにしてもよい。なお、ダウンロードを行うためのプログラムは、装置内（あるいは送信側装置・受信側装置内）にあらかじめ記憶されていることが好ましい。【０１８１】  本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【実施例】  以下に、実施例および比較対照としての比較例を示して説明するが、本発明はこれらにより何ら限定されるものではない。【０１８２】  〔比較例１〕
図１７は、各画素の面積分割比を１：１とした液晶パネルの視野角特性の１例を示すグラフである。同図のＶ１〜Ｖ４は、第１副画素の第１輝度と第２副画素の第２輝度との組み合わせを変化させた各条件の結果を示している（以下の比較例においても同様である。）同図に示すように、直線に最も近いのはＶ４であるため、白浮き現象の観点からはＶ４の場合に視野角改善効果が望めるといえる。しかしながら、実際の見た目では、Ｖ４の条件での視野角特性を示す曲線は変曲が大きいため、色ずれ現象がおこってしまう。【０１８３】  そこで、第１副画素と第２副画素（以下、適宜これらを「サブピクセル」という。）の輝度比を調整（ＣＳ電圧を調整）することにより、液晶パネルの視野角特性を調整することができる。このようにして調整された、Ｖ１〜Ｖ４それぞれのずれ量（Ｄ値）を表２に示す。【０１８４】
【表２】
0004176818.tif 000003
【０１８５】  表２に示すように、ずれ量（Ｄ値）は、Ｖ２の条件の時に最小値（Ｄ＝０．０２０２）となる。図１７における、各視野角特性を見る限りＶ２よりＶ１の方の変曲が少ないため、一見すると、ずれ量はＶ１の方が少ないように見える。しかしながら、実際は、Ｖ１よりもＶ２の方がずれ量（Ｄ値）が小さくなる。このことは、図１８に示すＶ１の視野角特性とその近似曲線とを併記したグラフと、図１９に示すＶ１の視野角特性とその近似曲線とを併記したグラフとを比較すれば明らかである。【０１８６】  図１８、図１９はそれぞれ、Ｖ１、Ｖ２の液晶パネルの視野角特性を示している。これらの図において、視野角特性を併記した近似曲線（近似γ曲線、斜め明度＝ｘ＾（ｎ／２．２））は、視野角特性から求められる曲線であり、Ｖ１、Ｖ２の条件ではこの順に、係数がｎ＝１．３１５、１．３６５である。ずれ量（Ｄ値）は、各条件における視野角特性の斜め明度の近似曲線からのずれの程度を表す値である。【０１８７】  上述したように、一見、図１７では、Ｖ１よりＶ２の方が変曲が大きく、ずれ量（Ｄ値）も大きいようであるが、Ｖ１とＶ２とに、実際に近似γ曲線を引くと、必ずしもそうでないことがわかる。そして、実際にずれ量を計算すると、Ｖ２の方がＶ１よりも、ずれ量が少ないという結果が得られる。つまり、本比較例の面積分割比１：１の液晶パネルでは、条件Ｖ２の時にずれ量は極小になり、この時のずれ量（最小値）はＤ＝０．０２０２である。【０１８８】  〔比較例２〕
各画素の面積分割比を１：０．５とした液晶パネルに対しても、上記比較例１と同様にして、４つの条件（Ｖ１〜Ｖ４）においてずれ量（Ｄ値）を求めた。結果を図２０および表３に示す。【０１８９】
【表３】
0004176818.tif 000004
【０１９０】  表３に示すように、本比較例の液晶パネルにおいては、ずれ量（Ｄ値）の最小値は、Ｖ２条件のＤ＝０．０２３４であった。【０１９１】  〔比較例３〕
各画素の面積分割比を１：３とした液晶パネルに対しても、上記比較例１と同様にして、４つの条件（Ｖ１〜Ｖ４）においてＤ値を求めた。結果を図２１および表４示す。【０１９２】
【表４】
0004176818.tif 000005
【０１９３】  表４に示すように、本比較例の液晶パネルにおいては、ずれ量（Ｄ値）の最小値は、Ｖ２条件のＤ＝０．０２１８であった。【０１９４】
【表５】
0004176818.tif 000006
【０１９５】  以上の比較例によれば、表５に示すように、本液晶表示パネルにおいて、面積分割駆動で実現できるずれ量（Ｄ値）の最小値は、面積分割比１：１の時のＤ＝０．０２０２（比較例１のＶ２）であることがわかる。また、本発明の発明者らは、上記比較例１のＤ＝０．０２０２が、現在、市場において流通している製品と同程度であることを確認しており、この値以下であれば、色ずれ現象は、許容内であるといえる。【０１９６】  もちろん、液晶パネルの視野角特性は、液晶材料やフィルムなどにより元々の特性、つまり面積階調駆動していない時の特性が変化すれば変化するものである。このため、これらの変化に伴って、ずれ量（Ｄ値）も多少は変化する。なお、以下に示す実施例では、面積分割画素駆動していない時の特性が、上述した比較例と同じ液晶パネルを用いるから、比較例と実施例とのＤ値の差は、面積分割画素駆動にフレーム分割画素駆動を併用することによる効果を示している。【０１９７】  〔実施例１〕
図２２に、面積分割画素駆動とフレーム分割画素駆動とを組み合わせた制御部を備えた液晶表示装置液晶パネル（画素分割比１：１、比較例１に対応）の視野角特性のグラフを示す。Ｖ１〜Ｖ４は上述した比較例１と同様の液晶パネルで、サブピクセルの輝度比を調整した結果を示している。【０１９８】
【表６】
0004176818.tif 000007
【０１９９】  表６と上述した比較例１の表１との比較からわかるように、フレーム分割画素駆動を組み合わせることにより、全ての条件におけるずれ量（Ｄ値）が、面積分割画素駆動の値を下回ることがわかる。また、Ｖ１およびＶ２では、フレーム分割画素駆動のみを用いた比較例で得られたＤ値の最小値（Ｄ＝０．０２０２）を下回る値が得られた。【０２００】  〔実施例２〕
図２３に、面積分割画素駆動とフレーム分割画素駆動とを組み合わせた制御部を備えた液晶表示装置液晶パネル（画素分割比１：０．５、比較例２に対応）の視野角特性のグラフを示す。Ｖ１〜Ｖ４は、上述した比較例２と同様の液晶パネルで、サブピクセルの輝度比を調整した結果を示している。【０２０１】
【表７】
0004176818.tif 000008
【０２０２】  表７と上述した比較例２の表３との比較からわかるように、フレーム分割画素駆動を組み合わせることにより、全ての条件におけるずれ量（Ｄ値）が、面積分割画素駆動の値を下回ることがわかる。【０２０３】  〔実施例３〕
図２４に、面積分割画素駆動とフレーム分割画素駆動とを組み合わせた制御部を備えた液晶表示装置液晶パネル（画素分割比１：３、比較例３に対応）の視野角特性のグラフを示す。Ｖ１〜Ｖ４は上述した比較例３と同様の液晶パネルで、サブピクセルの輝度比を調整した結果を示している。【０２０４】
【表８】
0004176818.tif 000009
【０２０５】  表８と上述した比較例３の表４との比較からわかるように、フレーム分割画素駆動を組み合わせることにより、全ての条件におけるずれ量（Ｄ値）が、面積分割画素駆動の値を下回ることがわかる。また、Ｖ１〜Ｖ４の何れの条件においても、フレーム分割画素駆動のみを用いた比較例において得られたＤ値の最値（Ｄ＝０．０２０２）を下回る値が得られた。【０２０６】  実施例１〜３と比較例１〜３との比較により、同じ画素分割比の液晶パネルにフレーム分割画素駆動を組み合わせることにより、ずれ量（Ｄ値）を小さくできることがわかる。このようにずれ量（Ｄ値）の小さい液晶パネルとすることにより、上述した色ずれ現象の発生を従来よりも抑制することが可能である。【０２０７】  また、画素分割比が１：３の液晶パネルのＤ値は、全ての条件において、面積分割画素駆動のみを用いた場合に得られた最小値よりも小さくなった。このように、画素分割画素駆動と分割画素駆動とを併用する場合、画素分割画素駆動のみを用いて制御する場合とは異なり、画素分割比を異ならせることにより、色ずれ現象の抑制する効果を得ることができ、画素分割比を約１：３とすることが特に好適である。【０２０８】  上述した実施例および比較例においては、図２５に示すような液晶応答特性をもつ液晶パネルを用いた。同図に示した液晶応答特性は、ＶＡモード（一般に用いられている液晶モード）の中では典型的な液晶応答のものである。液晶応答速度は液晶パネルに特有の値なので、上述した実施例では調整パラメータとしては用いていない。しかしながら、ずれ量（Ｄ値）は、液晶パネルに用いられている液晶の応答特性にも依存しているので、このことにつき以下に触れておく。【０２０９】  図２６および表９に、液晶応答速度によって、ずれ量が変化する様子を示し、図２６に対応する応答波形を図２７に示す。【０２１０】
【表９】
0004176818.tif 000010
【０２１１】  液晶の応答速度が無限大である場合、その矩形波の時はずれ量は大きいが、液晶の応答速度が遅くなる２つれて、ずれ量は小さくなることがわかる。しかしながら、逆に液晶の応答速度が遅くなりすぎると、フレーム毎に応答できず、輝度差を作れなくなるため、フレーム分割画素駆動の効果はほとんどなくなってしまう。【０２１２】  つまり、フレーム分割画素駆動のない、面積分割画素駆動のみによる駆動になってしまう。この結果、ずれ量も面積階調駆動の値に近づくこととなる。本発明でいうフレーム分割駆動は、図２８に示すように、少なくとも室温駆動時のパネル温度（約４０℃）で、ライズの時間（１０％−９０％）とのディケイ（９０％−１０％）の時間とを合わせて、１．５フレーム内におさまる液晶パネルを対象にした。【０２１３】  また、液晶の応答速度が速い液晶パネルは、上述したようにずれ量が大きくなるが、本発明において提案しているＣＳ電圧の振幅や、画素の面積比の調整、後述する時分割比の調整、テーブル調整を併用することにより、ずれ量を小さく調整することが可能である。
【産業上の利用可能性】
【０２１４】  本発明は、色ずれ現象の生じる表示画面を備えた装置に対し、好適に使用できるものである。
【図１】
0004176818.tif 000011
【図２】
0004176818.tif 000012
【図３】
0004176818.tif 000013
【図４】
0004176818.tif 000014
【図５】
0004176818.tif 000015
【図６】
0004176818.tif 000016
【図７】
0004176818.tif 000017
【図８】
0004176818.tif 000018
【図９（ａ）】
0004176818.tif 000019
【図９（ｂ）】
0004176818.tif 000020
【図９（ｃ）】
0004176818.tif 000021
【図９（ｄ）】
0004176818.tif 000022
【図１０】
0004176818.tif 000023
【図１１】
0004176818.tif 000024
【図１２】
0004176818.tif 000025
【図１３】
0004176818.tif 000026
【図１４（ａ）】
0004176818.tif 000027
【図１４（ｂ）】
0004176818.tif 000028
【図１４（ｃ）】
0004176818.tif 000029
【図１５】
0004176818.tif 000030
【図１６】
0004176818.tif 000031
【図１７】
0004176818.tif 000032
【図１８】
0004176818.tif 000033
【図１９】
0004176818.tif 000034
【図２０】
0004176818.tif 000035
【図２１】
0004176818.tif 000036
【図２２】
0004176818.tif 000037
【図２３】
0004176818.tif 000038
【図２４】
0004176818.tif 000039
【図２５】
0004176818.tif 000040
【図２６】
0004176818.tif 000041
【図２７】
0004176818.tif 000042
【図２８】
0004176818.tif 000043
【図２９】
0004176818.tif 000044
【図３０】
0004176818.tif 000045